(57)【要約】【課題】変調信号光の搬送波の位相を制御する光送信装置を提供する。【解決手段】本発明の光送信装置は、持続波光を光短パルス列に変換し、その光短パルス列を複数に分岐し、外部から入力された複数のデータ信号で、分岐した各光短パルス列を強度変調すると共に各変調信号光間に所定位相差を与えて光時分割多重する光時分割多重手段と、光時分割多重手段から出力される光時分割多重信号の出力側から持続波光を入力し逆進させる第１の光路分離手段と、光時分割多重手段を逆進させることで得た合波出力光を光時分割多重手段の光短パルス光の入力側から取込む第２の光路分離手段と、第２の光路分離手段からの合波出力光に基づいて各変調信号光の搬送波位相を制御する位相制御手段とを有する。【選択図】      図１
2005006175.tif 000002
【特許請求の範囲】
【請求項１】
持続波光を発振する光源と、
上記光源からの持続波光を光短パルス列に変換する光短パルス列変換手段と、
第１の入出力ポートに入力された上記光短パルス列を複数に分岐し、外部から入力された複数のデータ信号で、分岐した上記各光短パルス列を強度変調すると共に、各変調信号光間に所定の位相差を与えて光時分割多重をして、光時分割多重信号を第２の入出力ポートから出力する光時分割多重手段と
を有する光送信装置において、
上記光時分割多重手段の第２の入出力ポートからの光時分割多重信号を通過させると共に、上記光源からの持続波光を上記光時分割多重手段の第２の入出力ポートから入力させ、上記光分割多重手段の光時分割多重に係る進行経路を逆進させる第１の光路分離手段と、
上記光短パルス列変換手段からの光短パルス列を上記光時分割多重手段の第１の入出力ポートに与えると共に、上記光時分割多重手段により、複数に分岐された上記進行進路を逆進する各持続波光が、それぞれ強度変調されると共に、各変調信号光間に所定の位相差を与えられて合波された合波出力光を上記光時分割多重手段の第１の入出力ポートから取り込み、後述する位相制御手段に与える第２の光路分離手段と、
上記第２の光路分離手段から与えられた合波出力光の光パワーに基づいて、上記各変調信号光の搬送波の位相を制御する位相制御手段と
を有することを特徴とする光送信装置。
【請求項２】
上記位相制御手段は、上記合波出力光の平均光パワーを電気強度に変換する光／電気変換部を有し、この光／電気信号変換部による電気強度に基づいて、各変調信号光の搬送波のビット間位相差を検知することを特徴とする請求項１に記載の光送信装置。
【請求項３】
上記光時分割多重手段が、各変調信号光間に所定の位相差を与える位相差付与部を有し、
上記位相制御手段が、上記光／電気変換部により変換された電気強度に基づいて、上記位相差付与部が各変調信号光に与える位相差をフィードバック制御する位相差制御部を有することを特徴とする請求項２に記載の光送信装置。
【請求項４】
上記位相差制御部が、上記位相差付与部の温度を調整する温度コントローラを備えることを特徴とする請求項３に記載の光送信装置。
【発明の詳細な説明】
【０００１】
【発明の属する技術分野】
本発明は、光送信装置に関し、例えば、光時分割多重（Ｏｐｔｉｃａｌ  Ｔｉｍｅ  Ｄｉｖｉｓｉｏｎ  Ｍｕｌｔｉｐｌｅｘｉｎｇ；  ＯＴＤＭ）伝送方式を採用した光伝送システムにおいて、変調信号光のビット間の搬送波位相差を検知する光送信装置に適用し得る。
【０００２】
【従来の技術】
例えば４０Ｇｂｉｔ／ｓ以上の高速光伝送システムにおいて、より長距離伝送を拡大するためには、信号光の入力強度をより大きくして伝送する必要があるが、信号光の入力強度を大きくするためには、非線形効果による波形劣化が生じることとなり伝送品質を劣化させることとなる。
【０００３】
このような波形劣化を防止する技術として、下記の非特許文献１に示すような、光ファイバ中の非線形性効果を抑圧する、分散耐力を向上し得る等の利点を有する搬送波抑圧ＲＺ（Ｃａｒｒｉｅｒ  Ｓｕｐｐｒｅｓｓｅｄ  Ｒｅｔｕｒｎ  ｔｏ  Ｚｅｒｏ；ＣＳ−ＲＺ）変調方式が利用されている。
【０００４】
しかし、ＯＴＤＭ伝送方式を採用した光伝送システムにおいて、ＣＳ−ＲＺ変調方式を利用して光伝送を行なう場合、伝送環境などの影響により搬送波の位相が不安定になりビット間の搬送波に位相のずれが生じてしまう場合がある。
【０００５】
このようなビット間の搬送波の位相のずれを検出及び制御する技術として、変調信号光（ＣＳ−ＲＺ変調信号）の一部を取り出し、遅延装置を用いて、２分波したそれぞれの変調信号光間で各搬送波に１ビット遅延量に相当する位相差を与え、更に合波することにより、隣り合うビット同士の搬送波の干渉を受けた光をモニタし、この光パワーの時間的平均値を電気的信号（モニタ電圧）に変換した値に基づいて搬送波位相差を検出及び制御するものがある。
【０００６】
つまり、ＣＳ−ＲＺ変調方式ではビット間の搬送波位相差がπの状態（すなわち搬送波の位相が反転した状態）とした場合に実現することができ、１ビット遅延を与えることにより、各変調信号光の搬送波の位相にずれがない場合は互いに搬送波は反転しているビットは、光の干渉が生じて、互いに打ち消し合い消光することとなる。また逆に、１ビット遅延を与えて、各変調信号光の搬送波の位相がπだけ位相がずれている場合には、互いの搬送波は同じであるので、光の干渉により互いに強め合うこととなる。
【０００７】
この場合、１ビット遅延した干渉光のビット間の搬送波位相差がπである場合干渉光の光パワーに基づくモニタ電圧は極小値となり、０である場合モニタ電圧は極大値となる。
【０００８】
よって、各変調信号光のビット間の搬送波の位相がπからずれた場合には、合波出力光（干渉光）のモニタ電圧は大きくなり、ビット間の搬送波位相差が０となった場合に合波出力光（干渉光）は最も強めあいモニタ電圧は極大値となる。
【０００９】
このことより、ビット間の搬送波位相差がπから０と変化すると（位相のずれが生じると）、合波出力光の時間平均値は極小値から極大値へと変化し、この時間平均値をモニタし、光路差ヘフィードバックをかけることで、ビット間の搬送波位相差の制御が可能となる。
【００１０】
【非特許文献１】
Ｙ．Ｍｉｙａｍｏｔｏ  ｅｔ．ａｌ．，ＯＡＡ’９９，ＰＤＡ４，１９９９．
【００１１】
【発明が解決しようとする課題】
しかしながら、上述したビット間の搬送波位相差の検出及び制御方法は、変調信号光のあるタイムスロットの一部の光を取り出し、この変調信号光の一部の光に基づいて光パルスを干渉させるため、モニタに係る測定感度が低いという問題点がある。
【００１２】
そのため、ビット間の搬送波位相差の検出に係る測定感度を向上させ、搬送波の位相のずれ制御する光送信装置が求められている。
【００１３】
【課題を解決するための手段】
かかる課題を解決するために、本発明の光送信装置は、持続波光を発振する光源と、光源からの持続波光を光短パルス列に変換する光短パルス列変換手段と、第１の入出力ポートに入力された光短パルス列を複数に分岐し、外部から入力された複数のデータ信号で、分岐した上記各光短パルス列を強度変調すると共に、各変調信号光間に所定の位相差を与えて光時分割多重をして、光時分割多重信号を第２の入出力ポートから出力する光時分割多重手段とを有する光送信装置において、（１）光時分割多重手段の第２の入出力ポートからの光時分割多重信号を通過させると共に、光源からの持続波光を光時分割多重手段の第２の入出力ポートから入力させ、光分割多重手段の光時分割多重に係る進行経路を逆進させる第１の光路分離手段と、（２）光短パルス列変換手段からの光短パルス列を光時分割多重手段の第１の入出力ポートに与えると共に、光時分割多重手段により、複数に分岐された進行進路を逆進する各持続波光が、それぞれ強度変調されると共に、各変調信号光間に所定の位相差を与えられて合波された合波出力光を光時分割多重手段の第１の入出力ポートから取り込み、後述する位相制御手段に与える第２の光路分離手段と、（３）第２の光路分離手段から与えられた合波出力光の光パワーに基づいて、各変調信号光の搬送波の位相を制御する位相制御手段とを有することを特徴とする。
【００１４】
【発明の実施の形態】
（Ａ）実施形態
以下、本発明の光位相装置及び光送信装置の実施形態について、図面を参照して説明する。
【００１５】
本実施形態は、ＣＳ−ＲＺ変調方式により変調した２つの変調信号光を、光時分割多重するＯＴＤＭ伝送方式を採用した光伝送システムに適用した場合を説明する。
【００１６】
（Ａ−１）実施形態の構成
図１は、本実施形態に係る光位相検知装置を有する光送信装置の全体構成図である。図１に示す本実施形態の光送信装置は、光回路系と電気回路系とに大別して構成される。
【００１７】
以下では、本実施形態の光送信装置の構成について、光回路系と電気回路系とに分けて説明する。
【００１８】
まず、光回路系について説明する。光回路系は、ＣＷ光源１０１と、スプリッタ１０９と、ＥＡ変調器１０２と、サーキュレータ１０３と、サーキュレータ１０４と、ＯＴＤＭモジュール１０５とを有して構成される。
【００１９】
ＣＷ光源１０１は、直流成分が安定な持続波光（Ｃｏｎｔｉｎｕｏｕｓ  Ｗａｖｅ；ＣＷ）を発振する光源であり、広く適用することができる。ＣＷ光源１０１が発振したＣＷ光は、ＥＡ変調器１０２に与えられると共に、一部がスプリッタ１０９により分岐される。
【００２０】
ＥＡ変調器１０２は、ＣＷ光源１０１から出力されたＣＷ光を受け取ると共に、バイアス印加回路１１４からクロック信号を受け取り、そのクロック信号に基づいてＣＷ光を光短パルス列に変換し、その光短パルス列をサーキュレータ１０３に与えるものである。本実施形態では、この駆動するクロック信号の周波数をｆＧＨｚとする。
【００２１】
サーキュレータ１０３は、入力した光を所定の進行経路で出力するものであり、ＥＡ変調器１０２から出力された光短パルス列をＯＴＤＭモジュール１０５に与える。このとき、サーキュレータ１０３は、図１に示すポート１（ＥＡ変調器１０２側ポート）からポート２（ＯＴＤＭモジュール１０５側ポート）に進行させて出力する。
【００２２】
また、サーキュレータ１０３は、後述するＯＴＤＭモジュール１０５から出力された信号光についても位相制御部１１７に与える。このとき、サーキューレータ１０３は、図１に示すポート２（ＯＴＤＭモジュール１０５側ポート）からポート３（位相制御部１１７側ポート）に進行させて出力する。
【００２３】
ＯＴＤＭモジュール１０５は、サーキュレータ１０３から出力された光短パルス列を２分岐して、それら２つの光短パルス列に変調処理を行なうと共に、変調処理で得られた２つの変調信号光間で遅延量（本実施形態では１／２ビットの遅延量）に相当する位相差を与えて、光時分割多重を行ない出力するものである。
【００２４】
また、ＯＴＤＭモジュール１０５は、サーキュレータ１０４から入力したスプリッタ１０９からのＣＷ光（以下、後方入力光ともいう）を２分岐して、それら２つのＣＷ光を変調すると共に、変調処理で得られた２つの変調信号光間でビット間の搬送波位相差を与えた合波出力信号を出力するものである。
【００２５】
ここで、ＯＴＤＭモジュール１０５の詳細な内部構成について、図２に参照して説明する。
【００２６】
図２に示すように、ＯＴＤＭモジュール１０５は、２つの分岐合波回路１０５０１及び１０５０２と、２つの変調器１０５０３及び１０５０４と、２つのアーム回路１０５０５及び１０５０６とを有する。
【００２７】
また、ＯＴＤＭモジュール１０５は、光入出力部１０５０７と、光入出力部１０５１０と、各変調器１０５０３及び１０５０４にデータを入力する電気入力端子１０５０８及び１０５０９を有して構成される。
【００２８】
アーム回路１０５０５及び１０５０６は、２つの分岐合波回路１０５０１及び１０５０２の間に設置された導波路であり、これらアーム回路１０５０５及び１０５０６の導波路は、２つの変調信号光を合波する時点でビット間に１／２ビットの搬送波位相差を与えるように光路長差が設けてある。本実施形態では、光短パルス列の周波数がｆＧＨｚであるため、１／２ｆ×１０００ｐｓに相当する光路差を設定する。
【００２９】
光入出力部１０５０７は、サーキュレータ１０３からの光短パルス列を入力するものであり、また光入出力部１０５０７は、各変調器１０５０３及び１０５０４により変調された後方入力の２つの変調信号光を合波した合波出力信号を出力するものである。
【００３０】
分岐合波回路１０５０１は、光入出力部１０５０７から入力した光短パルス列を２分岐して、各アーム回路１０５０５及び１０５０６に与えるものである。また、分岐合波回路１０５０１は、アーム回路１０５０５及び１０５０６を進行して入力してきた後方入力の２つの変調信号光を合波して光入出力部１０５０７に与えるものである。
【００３１】
分岐合波回路１０５０２は、アーム回路１０５０５及び１０５０６を進行して入力してきた２つの変調信号光を合波して光時分割多重光として光入出力部１０５１０に与えるものであり、また分岐合波回路１０５０２は、光入出力部１０５１０から入力した後方入力光（ＣＷ光）を２分岐して、各アーム回路１０５０５及び１０５０６に与えるものである。
【００３２】
各変調器１０５０３及び１０５０４は、それぞれアーム回路１０５０５及び１０５０６の進行上に設置されているものであり、電気入力端子１０５０８及び１０５０９からの入力データに基づいて、各アーム回路１０５０５及び１０５０６を進行してきた光短パルス列又はＣＷ光を変調するものである。
【００３３】
光入出力部１０５１０は、分岐合波回路１０５１０により合波された時分割多重信号を出力しサーキュレータ１０４に与えるものであり、また光入出力部１０５１０は、サーキュレータ１０４からのＣＷ光を入力するものである。
【００３４】
サーキュレータ１０４は、入力した光を所定の進行経路で出力するものであり、ＯＴＤＭモジュール１０５から出力された光時分割多重信号を出力端子１１３に与えるものである。このとき、サーキュレータ１０４は、図１に示すポート２（ＯＴＤＭモジュール１０５側ポート）からポート３（出力端子１１３側ポート）に進行させて出力する。また、サーキュレータ１０４は、スプリッタ１０９により分岐したＣＷ光を入力し、ＯＴＤＭモジュール１０５に与えるものである。このとき、図１に示すポート１（スプリッタ１０９側ポート）からポート２（ＯＴＤＭモジュール１０５側ポート）に進行させて出力する。
【００３５】
位相制御部１１７は、サーキュレータ１０３から出力された変調信号光（後方入力したもの）を入力し、その変調信号光の時間的平均パワーを電気信号（電圧）に変換するものである。また、位相制御部１１７は、得られた電気信号に基づいて、ＯＴＤＭモジュール１０５のアーム回路１０５０５及び１０５０６の導波路長を調整して、変調信号光間の搬送波の位相差を調整するものである。
【００３６】
例えば、位相制御部１１７が、ＯＴＤＭモジュール１０５のアーム導波路を温度制御する温度コントローラであり、取得した電圧に基づいてアーム回路１０５０５及び１０５０６の導波路に対して温度調整をして、進行する光の屈折率を調整することで光路長の細かな調整をするようにしてもよい。このとき、位相制御部１１７は、アーム回路１０５０５及び１０５０６の双方の導波路について温度調整をしてもよいし、又はいずれかの導波路について温度調整するようにしてもよい。
【００３７】
次に、電気回路系について説明する。電気回路系は、クロック信号入力端子１１０に接続するドライバアンプ１０６と、データ入力端子１１２に接続するドライバアンプ１０７と、データ入力端子１１１に接続するドライバアンプ１０８と、バイアス印加回路１１４と、バイアス印加回路１１５と、バイアス印加回路１１６とを有して構成される。
【００３８】
ドライバアンプ１０６は、クロック入力端子１１０から出力されたクロック信号を増幅して、バイアス印加回路１１４に与えるものである。
【００３９】
バイアス印加回路１１４は、ドライバアンプ１０６から増幅されたクロック信号を受け取り、そのクロック信号にバイアス成分を重畳してＥＡ変調器１０２に与えるものである。本実施形態では、ＥＡ変調器１０２に出力するクロック信号の周波数をｆＧＨｚとする。
【００４０】
ドライバアンプ１０７及び１０８は、データ入力端子１１１及び１１２から出力されたデータ信号（電気信号）を増幅して、バイアス印加回路１１５及び１１６に与えるものである。
【００４１】
バイアス印加回路１１５及び１１６は、ドライバアンプ１０７及び１０８から増幅されたデータ信号を受け取り、そのデータ信号にバイアス成分を重畳してＯＴＤＭモジュール１０５に与えるものである。
【００４２】
（Ａ−２）第１の実施形態の動作
次に、本実施形態の光位相検知装置及び光送信装置の動作について図面を参照して詳説する。
【００４３】
ＣＷ光源１０１により発振されたＣＷ光は、ＥＡ変調器１０２に与えられる。このとき、スプリッタ１０９により発光された光の一部が分岐される。
【００４４】
また、外部から入力したクロック信号は、クロック入力端子１１０を介してドライバアンプ１０６により増幅され、バイアス印加回路１１４によりバイアス成分を重畳されて、ＥＡ変調器１０２に与えられる。
【００４５】
ＥＡ変調器１０２において、ＣＷ光源１０１からのＣＷ光は、バイアス印加回路１１４からのクロック信号（周波数ｆＧＨｚ）により変調されて、光短パルス列が出力する。
【００４６】
ＥＡ変調器１０２から出力した光短パルス列は、サーキュレータ１０３に与えられ、サーキュレータ１０３のポート１からポート２に進行して、ＯＴＤＭモジュール１０５に与えられる。
【００４７】
サーキュレータ１０３から出力された光短パルス列は、ＯＴＤＭモジュール１０５の分岐回路１０５０１で２分岐され、２分岐されたそれぞれ光短パルス列は、それぞれのアーム回路１０５０５及び１０５０６の導波路を進行し、変調器１０５０３及び１０５０４に入力する。
【００４８】
各変調器１０５０３及び１０５０４において、入力した光短パルス列は、電気入力端子１０５０８及び１０５０９から入力した電気信号に基づいて変調され、変調信号光として出力される。
【００４９】
各変調器１０５０３及び１０５０４により変調を受けた各変調信号光は、それぞれのアーム回路１０５０５及び１０５０６の導波路を進行して分岐合波回路１０５０２で合波されて出力する。
【００５０】
この２つのアーム回路１０５０５及び１０５０６の導波路間は、１／２ビットの遅延量（（１／２ｆ）×１０００ｐｓ）が設けられており、２つの変調信号光は光時分割多重されて出力する。なお、この光時分割多重信号は周波数ｆＧＨｚの２倍のビットレート（２ｆＧｂｉｔ／ｓ）を持ったＲＺ信号列となる。
【００５１】
分岐合波回路１０５０２で合波された光時分割多重信号は、光入出力部１０５１０から出力されサーキュレータ１０４に与えられる。
【００５２】
サーキュレータ１０４に与えられた時分割多重信号は、サーキュレータ１０４のポート２からポート３に進行し出力端子１１３から出力する。
【００５３】
一方、スプリッタ１０９により一部分岐されたＣＷ光は、サーキュレータ１０４に入力される。
【００５４】
サーキュレータ１０４に入力したＣＷ光は、サーキュレータ１０４のポート１からポート２に進行して、ＯＴＤＭモジュール１０５に与えられる。
【００５５】
ＯＴＤＭモジュール１０５に入力したＣＷ光は、分岐合波回路１０５０２で２分岐されて、それぞれのアーム回路１０５０５及び１０５０６の導波路を進行し、変調器１０５０３及び１０５０４に入力する。
【００５６】
各変調器１０５０３及び１０５０４において、入力したＣＷ光は、電気入力端子１０５０８及び１０５０９から入力した電気信号に基づいて変調されて、変調信号光として出力される。
【００５７】
各変調器１０５０３及び１０５０４により変調を受けた各変調信号光は、それぞれのアーム回路１０５０５及び１０５０６の導波路を進行して分岐合波回路１０５０１で合波されて出力する。
【００５８】
ここで、後方入力光に基づいて搬送波位相差を与えた干渉光について図３を参照して説明する。なお、図３に示す縦の点線は１ビット期間を示す。
【００５９】
図３に示すように、後方入力光はＣＷ光であるため変調後はＮＲＺ（Ｎｏｎ―Ｒｅｔｕｒｎ―ｔｏ−Ｚｅｒｏ）信号となる。変調器１０５０３により変調されアーム回路１０５０５を進行した変調信号光を変調光１と示し、変調器１０５０４により変調されアーム回路１０５０６を進行した変調信号光を変調光２と示す。
【００６０】
変調光１及び２は、アーム回路１０５０５及び１０５０６を進行して、（１／２ｆ）×１０００ｐｓの遅延量が与えられて、再結合時に光の干渉が生じ、その干渉光は次のようになる。
【００６１】
各変調光のビット間の搬送波位相差がπのとき、１が重なり合うビットは打ち消しあう。また、ビット間の搬送波位相差が０のとき、１が重なるビットは強め合う。
【００６２】
このようにして、ＯＴＤＭモジュール１０５において、ＮＲＺ信号である後方入力光に基づいて、遅延量を与えることにより得た合波出力光（干渉光）は、サーキュレータ１０３に与えられる
サーキュレータ１０３に与えられた合波出力光（干渉光）は、サーキュレータ１０３のポート２からポート３に進行して、位相制御部１１７に入力する。
【００６３】
位相制御部１１７において、サーキュレータ１０３から入力した合波出力光（平均パワー）は、電気信号に変換される。位相制御部１１７では、変換された電気信号に基づいて、変調信号光に与える遅延量を調整する。
【００６４】
例えば、位相制御部１１７が温度コントローラであり、得られた電気信号に基づいて、ＯＴＤＭモジュールの駆動温度を調整してアーム回路１０５０５及び１０５０６の導波路長を制御する等のフィードバック制御を行なう。
【００６５】
ビット間の搬送波位相差が０である場合、ＮＲＺ信号でモニタする場合の光出力強度は、干渉した結果ＲＺの信号で生じる干渉のａ／ｗ倍の強度になる。ただし、ａはタイムスロット長、ｗは短パルスの半値全幅である。このため、同一の入力レベルに対して出力ａ／ｗ倍となり、同じ雑音レベルに対する感度が向上する。
【００６６】
図４は、ビット間の搬送波位相差と光出力強度との関係を示した図である。なお、図４は、従来の技術で示した４０Ｇｂｉｔ／ｓのＲＺ合波出力光を外部干渉計を用いてモニタした場合（図４では白丸プロット）と、４０Ｇｂｉｔ／ｓのＮＲＺ信号である後方入力ＣＷ光に基づいて得た合波出力光をモニタした場合（図４では黒丸プロットで示す）とを示す。
【００６７】
図４に示すように、ＮＲＺ信号をモニタする場合の方が、ＲＺ信号をモニタする場合よりもモニタの測定感度を約１．８倍向上することができる。
【００６８】
（Ａ−３）実施形態の効果
以上、本実施形態によれば、ＮＲＺ信号である変調信号光を合波した干渉光の光強度により搬送波のビット間位相差を制御することができるため、ビットの全てのタイムスロットにわたって、搬送波の位相のずれを制御することができる。
【００６９】
（Ｂ）他の実施形態
（Ｂ−１）上述した実施形態では、ＯＴＤＭモジュール１０５の変調器１０５０８及び１０５０９としてＥＡ変調器を用いた例を示したが、これに限られることなく、ＬｉＮｂ０３変調器や又はその他の変調機能を有する変調器を用いるようにしてもよい。
【００７０】
（Ｂ−２）上述した実施形態では、位相制御部１１７がＯＴＤＭモジュール１０５にフィードバックをかけて搬送波の位相差を制御する方式について説明したが、検出したビット間の搬送波位相差に基づいて光の光路長を調整できるものであれば広く適用できる。例えば、回路中に光路長を調整できるように配置したガラスブロック部（例えばプリズムやハーフミラー等で構成された部）を設けるようにしてもよい。
【００７１】
（Ｂ−３）上述した実施形態では、２個の変調信号光を光時分割多重する場合を説明したが、３以上の変調信号光を光時分割多重する場合にも適用できる。
【００７２】
【発明の効果】
以上、本実施形態によれば、持続波光を発振する光源と、光源からの持続波光を光短パルス列に変換する光短パルス列変換手段と、第１の入出力ポートに入力された光短パルス列を複数に分岐し、外部から入力された複数のデータ信号で、分岐した上記各光短パルス列を強度変調すると共に、各変調信号光間に所定の位相差を与えて光時分割多重をして、光時分割多重信号を第２の入出力ポートから出力する光時分割多重手段とを有する光送信装置において、光時分割多重手段の第２の入出力ポートからの光時分割多重信号を通過させると共に、光源からの持続波光を光時分割多重手段の第２の入出力ポートから入力させ、光分割多重手段の光時分割多重に係る進行経路を逆進させる第１の光路分離手段と、光短パルス列変換手段からの光短パルス列を光時分割多重手段の第１の入出力ポートに与えると共に、光時分割多重手段により、複数に分岐された進行進路を逆進する各持続波光が、それぞれ強度変調されると共に、各変調信号光間に所定の位相差を与えられて合波された合波出力光を光時分割多重手段の第１の入出力ポートから取り込み、後述する位相制御手段に与える第２の光路分離手段と、第２の光路分離手段から与えられた合波出力光の光パワーに基づいて、各変調信号光の搬送波の位相を制御する位相制御手段とを有することにより、ビットの全てのタイムスロットにわたってモニタ強度を向上させることができる。
【図面の簡単な説明】
【図１】本実施形態の光送信装置の全体構成図である。
【図２】本実施形態のＯＴＤＭモジュールの内部構成図である。
【図３】本実施形態の後方入力光に基づく干渉光の強度を示す図である。
【図４】ビット間の搬送波位相差と出力強度との関係を示す図である。
【符号の説明】
１０１…ＣＷ光源、１０２…ＥＡ変調器、１０３、１０４…サーキュレータ、
１０５…ＯＴＤＭモジュール、１０５０３、１０５０４…変調器、
１１７…位相制御部。
【図１】
2005006175.tif 000003
【図２】
2005006175.tif 000004
【図３】
2005006175.tif 000005
【図４】
2005006175.tif 000006